(57)【特許請求の範囲】
【請求項１】
支持部材と、この支持部材に支持されるフレキシャと、このフレキシャに固定されるヘッド本体とを有し、前記ヘッド本体が、前記支持部材との間に設けられた当接部の頂点を支点として揺動自在とされている磁気ヘッド装置において、前記フレキシャは、前記支持部材に固定支持される固定部と、前記固定部からフレキシャの自由端側へ延びる一対の腕部と、前記一対の腕部の自由端側に変形支点を有して前記固定部方向に延びるヘッド支持部とから構成されており、前記ヘッド支持部に固定支持される前記ヘッド本体の前記自由端側の端部は、前記当接部と前記変形支点との中間よりも固定部側に位置していることを特徴とする磁気ヘッド装置。
【請求項２】
前記ヘッド支持部と前記支持部材との間には前記フレキシャの上下の変動量を規制する規制部が設けられている請求項１記載の磁気ヘッド装置。
【請求項３】
前記規制部は、前記ヘッド支持部から一体となって前記支持部材方向に鉤状で形成されており、前記支持部材が前記規制部の下側に挿入される請求項２記載の磁気ヘッド装置。
【請求項４】
記録媒体の摺動時、前記支持部材は記録媒体の半径方向から延び、前記フレキシャの固定部側から自由端側への方向が記録媒体の摺動方向と一致している請求項１ないし３のいずれかに記載の磁気ヘッド装置。
【発明の詳細な説明】
【０００１】
【発明の属する技術分野】
本発明は、光磁気ディスク装置などに装備される磁気ヘッド装置に係わり、特にヘッド本体をフレキシャへ適性な位置に固定することにより、前記ヘッド本体の全領域にわたって良好なロール剛性、およびピッチ剛性を得られるようにした磁気ヘッド装置に関する。
【０００２】
【従来の技術】
図８は光磁気ディスク装置に装備される従来の磁気ヘッド装置の構造を示す部分斜視図である。
この磁気ヘッド装置は、ヘッド本体３０と、このヘッド本体３０を固定支持するためのフレキシャ３３と、さらに前記フレキシャ３３を支持するための支持部材４０とで構成されている。
図８に示すように、前記ヘッド本体３０はスライダ３１とコア組立体３２とで構成されており、前記スライダ３１の図示左側がリーディング（イ）側、図示右側がトレーリング（ロ）側となっている。前記スライダ３１のトレーリング（ロ）側端部には、前記コア組立体３２が保持されている。なお、前記スライダ３１の下面が記録媒体との対向面であり、上面が支持部材４０により支持される支持側である。
【０００３】
前記コア組立体３２は、磁性材料製のコアとコイルとから構成されており、前記コア組立体３２の下面は、前記スライダ３１の下面と同一面となっている。
フレキシャ３３は薄い板ばねにより形成されている。図８に示すように、フレキシャ３３の固定部３４には、位置決め孔３５が形成されている。また前記フレキシャ３３には切欠き３６が形成されており、この切欠き３６によって離された部分がヘッド支持部（舌片）３７となっている。図に示すように、このヘッド支持部３７の下に前記ヘッド本体３０が接着剤などで固定されている。
【０００４】
支持部材４０はロードビーム４１とアダプタ４３とで構成されている。
ロードビーム４１は板ばね材料で形成されている。図８に示すようにロードビーム４１の両側には折り曲げ部４１ａ，４１ａが形成されており、この部分の剛性力が高くなっている。また前記ロードビーム４１には、前記折り曲げ部４１ａ，４１ａの終端からロードビーム４１後端部方向にかけて弾性力を有する板ばね機能部（図示しない）が形成されている。また前記ロードビーム４１には、一対の位置決め孔４２，４２が形成されている。
アダプタ４３は凹形状に形成されており、立ち上がり片４４，４５には位置決め孔４４ａ，４５ａが形成されている。この位置決め孔４４ａ，４５ａと、ロードビーム４１に形成された位置決め孔４２，４２とが位置合わせされ、前記アダプタ４３がロードビーム４１に固定支持される。
【０００５】
前記アダプタ４３の底面は段差構造となっており、一段高くなっている底面には、図示下方向に突き出した球面状のピボット（当接部）４６が形成されている。一段低くなっている底面には位置決め孔４８が形成されており、この位置決め孔４８と、フレキシャ３３に形成された位置決め孔３５とが位置合わせされ、前記フレキシャ３３がアダプタ４３に固定支持される。なお、このとき、アダプタ４３に設けられた前記ピボット４６の頂点は、フレキシャ３３を介してヘッド本体３０の上面に当接し、前記ヘッド本体３０を揺動自在に支持する。
この磁気ヘッド装置では、記録媒体の半径方向からロードビーム４１が延びている。記録媒体が停止しているとき、ロードビーム４１の押圧力により、ヘッド本体３０の下面が記録媒体上に圧接されている。前記記録媒体が図示Ｘ方向に摺動し始めると、前記ヘッド本体３０と記録媒体との間に空気流が導かれ、トレーリング（ロ）側がリーディング（イ）側よりも下がった状態で前記ヘッド本体３０が記録媒体上で浮上する。
【０００６】
【発明が解決しようとする課題】
ヘッド本体３０が記録媒体上に浮上すると、前記ヘッド本体３０はアダプタ４３に設けられたピボット４６の頂点を支点として、ピッチ方向およびロール方向に揺動可能となる。なお、ピッチ方向とは図８に示すように、記録媒体の摺動方向（Ｘ方向）における上下の回転方向（Ｙ軸回りの回転方向）、ロール方向とは、記録媒体の摺動方向に対して直交するＹ方向における上下の回転方向（Ｘ軸回りの回転方向）のことである。
ところで、前記ヘッド本体３０の浮上姿勢を安定化させるには、特にヘッド本体３０がロール方向に揺動しやすいように、フレキシャ３３のロール剛性をなるべく低くすることが必要である。
【０００７】
ロール方向における剛性が高いと、例えばヘッド本体３０が記録媒体上に浮上する際に、前記ヘッド本体３０が傾いて浮上したり、あるいは記録媒体の半径方向への凹凸の変化に正確に追従できないなどの問題点が発生する。その結果、コア組立体３２と記録媒体とのスペーシングの設定に影響が生じる。
またフレキシャ３３のピッチ方向における剛性もある程度低くしておくことが好ましい。ただしピッチ方向における剛性が低すぎると、例えば記録媒体の面ぶれにより、前記ヘッド本体３０がピッチ方向に大きく振れ、記録媒体に衝突しやすくなるなどの問題が発生する。特に、低浮上の磁気ヘッド装置では、ヘッド本体３０のピッチ揺動により、記録媒体およびヘッド本体３０に損傷を与えやすい。
【０００８】
ところで、これらロール剛性およびピッチ剛性は、ヘッド本体３０の各位置において異なる値を示すことが実験によりわかった（実験内容やその結果の詳細については後述する）。
特に、ヘッド本体３０は、トレーリング（ロ）側端部付近では、ロール方向にほとんど揺動せず、逆にピッチ方向に大きく揺動し、すなわちフレキシャ３３においてヘッド本体３０を支持している部分であるヘッド支持部（舌片）３７は、トレーリング（ロ）側付近におけるロール剛性が非常に高く、ピッチ剛性が非常に低いことがわかった。
従って、従来の磁気ヘッド装置では、ヘッド本体３０の全領域にわたって、良好なロール剛性およびピッチ剛性を得ることができなかった。
【０００９】
本発明は上記従来の課題を解決するためのものであり、ヘッド本体をフレキシャの下面に適性な位置に固定して、前記ヘッド本体の全領域にわたって、良好なロール剛性およびピッチ剛性を得られるようにした磁気ヘッド装置を提供することを目的としている。
【００１０】
【課題を解決するための手段】
本発明は、支持部材と、この支持部材に支持されるフレキシャと、このフレキシャに固定されるヘッド本体とを有し、前記ヘッド本体が、前記支持部材との間に設けられた当接部の頂点を支点として揺動自在とされている磁気ヘッド装置において、前記フレキシャは、前記支持部材に固定支持される固定部と、前記固定部からフレキシャの自由端側へ延びる一対の腕部と、前記一対の腕部の自由端側に変形支点を有して前記固定部方向に延びるヘッド支持部とから構成されており、前記ヘッド支持部に固定支持される前記ヘッド本体の前記自由端側の端部は、前記当接部と前記変形支点との中間よりも固定部側に位置していることを特徴とするものである。
【００１１】
本発明では、前記ヘッド支持部と前記支持部材との間には前記フレキシャの上下の変動量を規制する規制部が設けられていることが好ましい。具体的には、前記規制部は、前記ヘッド支持部から一体となって前記支持部材方向に鉤状で形成されており、前記支持部材が前記規制部の下側に挿入されることが好ましい。
また本発明では、記録媒体の摺動時、前記支持部材は記録媒体の半径方向から延び、前記フレキシャの固定部側から自由端側への方向が記録媒体の摺動方向と一致していることが好ましい。
【００１２】
本発明では、図４（ａ）および図６（ａ）に示す２種類の磁気ヘッド装置（図にはフレキシャとヘッド本体のみが示されている）を用いて、ヘッド本体のリーディング側端部からトレーリング側端部までの複数の位置におけるロール方向およびピッチ方向の角度変化を測定した。
【００１３】
まず、図４（ａ）に示す磁気ヘッド装置を用いて実験を行った。
図４（ａ）では、フレキシャ１９の図示左側に、固定部２０が形成されており、この固定部２０から、フレキシャの自由端側（図示Ｘ方向）に一対の腕部２１，２１が延びている。そしてこの腕部２１，２１から変形支点Ａを有して前記固定部２０方向にヘッド支持部２２が延びている。
前記フレキシャ１９は、固定部２０にてロードビーム４１やアダプタ４３などの支持部材（図８参照）に固定支持される。なお、ヘッド支持部２２の上面に記されている点Ｂは、前記支持部材に形成されたピボット（当接部）の頂点が当接する位置である。
ヘッド本体２３は、リーディング（イ）側端部からトレーリング（ロ）側端部までの長さが６ｍｍ、奥行きの長さが５ｍｍで形成されており、前記ヘッド本体２３は、そのトレーリング（ロ）側端部が、フレキシャ１９の変形支点Ａよりも約１ｍｍ自由端側に位置した状態で、前記フレキシャ１９のヘッド支持部２２の下に固定されている。
【００１４】
図４（ｂ）は、図４（ａ）に示すフレキシャ１９、および前記フレキシャ１９に固定支持されたヘッド本体２３を裏側（ヘッド本体の記録媒体対向面側）から見た底面図である。
実験は、まずヘッド本体２３のリーディング（イ）側からトレーリング（ロ）側にかけて中心線Ｍを設定し、この中心線Ｍから２．３ｍｍ離れた４箇所の位置▲１▼▲２▼▲３▼▲４▼に、それぞれ０．１７ｇｆの荷重をかけた。次に荷重をかけた状態でヘッド本体２３の記録媒体対向面に微細に絞ったレーザ光を当て、その反射光から、ヘッド本体がどれだけロール方向およびピッチ方向に傾いたかを測定した。そして、その測定結果を図５に示すグラフ上にプロットした。
【００１５】
図５の縦軸は角度変化（分）を、横軸は、ヘッド本体２３のリーディング（イ）側端部を基準とした前記４箇所の位置▲１▼▲２▼▲３▼▲４▼の位置、およびフレキシャ１９のピボット当接位置Ｂ、フレキシャ１９の変形支点Ａ、およびヘッド本体２３のトレーリング（ロ）側端部の位置を示している。
図に示すように、ロール方向への角度変化は、リーディング（イ）側端部からトレーリング（ロ）側端部にかけて、ほぼ直線的に低くなっている。つまり、フレキシャ１９のロール剛性は、自由端側（図４（ａ）に示すＸ方向）に近づく程高くなることがわかる。
【００１６】
一方、ピッチ方向への角度変化も、ロール方向への角度変化と同様にほぼ直線的に変化しており、ヘッド本体２３のトレーリング（ロ）側端部におけるピッチ方向への角度変化は、ロール方向の角度変化に比べて非常に大きくなっていることがわかる。
また、図５に示すように、ロール方向への角度変化の直線とピッチ方向への角度変化の直線との交点Ｃは、フレキシャ１９のピボットの当接位置Ｂと変形支点Ａとの間のほぼ中間に位置していることがわかる。そして、この交点Ｃからトレーリング（ロ）側端部にかけて、ロール方向の角度変化はピッチ方向への角度変化よりも、常に小さくなっている。
【００１７】
つまり、ピボットの当接位置Ｂと変形支点Ａとの間のほぼ中間Ｃよりも、自由端側におけるフレキシャ１９のロール剛性は、前記フレキシャ１９のピッチ剛性よりも、常に高くなっている。
ここで、フレキシャのロール剛性が、自由端側にいくにしたがって高くなる原因は以下の通りであると予測される。
【００１８】
前記ヘッド支持部２２は、フレキシャ１９の自由端側において、幅方向の両側が腕部２１，２１に支持されているため、舌片形状のヘッド支持部２２は、前記腕部２１，２１との連結点が変形支点Ａとなり、ヘッド支持部２２は図示左方向が自由端となっている。したがってヘッド支持部２２は、前記変形支点Ａに近づく程ねじり剛性が高くなる。そして、ヘッド本体２３は舌片形状の前記ヘッド支持部２２に固定されているためヘッド支持部２２のねじり剛性がそのまま、ヘッド本体のロール回転変化に対応することになる。
また、トレーリング（ロ）側端部では、ヘッド支持部２２のねじり剛性により、力のモーメントがロール方向へ作用しにくくなっているため、逆に舌片形状のヘッド支持部２２の曲げ剛性によりピッチ方向へ作用しやすくなっており、前記トレーリング（ロ）側端部におけるピッチ方向への角度変化は非常に大きくなってしまう。
【００１９】
次に、図５に示すように、ピッチ方向への変形量はピボット当接位置Ｂの部分でほぼ角度変化が０であり、この０点を境としてＸ方向へほぼ対称である。ピッチ方向の回転動作は、舌片形状のヘッド支持部２２の曲げ変形によるものであるが、この曲げ方向の剛性は、Ｘ方向にわたってほぼ均一である。そのため、図５に示すように、ピボット当接位置Ｂ付近を境として、左右においてピッチ方向への角度変化が対称になりやすいものと考えられる。
【００２０】
次に、図６（ａ）に示す磁気ヘッド装置を用いて実験を行った。
図６（ａ）では、フレキシャ２４は、固定部２５からコの字形状に延びる腕部２６，２６によりヘッド支持部２７が両側部側から支持されている。なお、このフレキシャ２４では、ヘッド支持部２７の変形支点Ａ，Ａと、ピボットの当接位置Ｂとが、同一直線Ｎ上に位置している。
ヘッド本体２８は、リーディング（イ）側端部からトレーリング（ロ）側端部までの長さが３．２ｍｍ、奥行きの長さが２．６ｍｍで形成されており、前記ヘッド本体２８が前記ヘッド支持部２７の下面に接着固定されている。
【００２１】
図６（ｂ）は、図６（ａ）に示すフレキシャ２４、および前記フレキシャ２４に固定支持されたヘッド本体２８を、記録媒体との対向面側から見た底面図である。
実験は、まずヘッド本体２８のリーディング（イ）側からトレーリング（ロ）側にかけての中心線Ｍから、１．１ｍｍ離れた３箇所の位置▲５▼▲６▼▲７▼に、それぞれ０．１７ｇｆの荷重をかけた。そのときにヘッド本体２８の記録媒体との対向面に微細に絞ったレーザ光を当て、その反射光から、ヘッド本体がどれだけロール方向およびピッチ方向に傾いているかを測定した。そして、その測定結果を図７に示すグラフ上にプロットした。
【００２２】
図７に示すように、ロール方向への角度変化、およびピッチ方向への角度変化は共にほぼ直線的に変化していることがわかる。
ヘッド本体２８のトレーリング（ロ）側端部では、ロール方向への角度変化はほぼ０（分）であるのに対し、ピッチ方向への角度変化は非常に大きくなっているため、前記ヘッド本体２８のトレーリング（ロ）側端部は、ピッチ方向のみに動き、ロール方向へはほとんど動かないことがわかる。
【００２３】
変形支点Ａ，Ａとピボットの当接位置Ｂとは同一直線Ｎ上にあるため、この直線Ｎからリーディング（イ）側およびトレーリング（ロ）側に同じ距離だけ離れた各位置に同じ荷重をかけた場合、前記リーディング（イ）側におけるロール方向への角度変化と、前記トレーリング（ロ）側におけるロール方向への角度変化は同じ値を示すように思われる。しかし、実際は図７に示すように、リーディング（イ）側端部におけるロール方向への角度変化は約８０（分）であるのに対し、トレーリング（ロ）側端部におけるロール方向への角度変化はほぼ０（分）であり、極端に異なった値を示している。
これは、腕部２６が固定部２５方向から延びて、ヘッド支持部２７に側方から繋がっているためと思われる。例えば▲７▼の位置に荷重を与えたときに、腕部２６の（ハ）の部分が曲げ変形するとともに、（ニ）の部分がねじり変形するためである。
【００２４】
すなわち、図６（ｂ）に示すように、ヘッド本体２８のリーディング（イ）側端部は、固定部２４側での腕部２６の基端からＴａだけしか離れていないのに対し、トレーリング（ロ）側端部は、前記腕部２６の基端から前記Ｔａよりも十分大きいＴｂ離れている。したがって、トレーリング（ロ）側端部に荷重が与えられると、前記距離Ｔｂが長いためにモーメントが大きくなり、腕部２６が大きく変形し、（ハ）の部分が撓むとともに（ニ）の部分が捻じれを生じ、トレーリング（ロ）側端部に荷重を与えたときにピッチ方向への変形がきわめて大きくなり、その分Ｘ軸回りのロール変形があまり生じなくなるためである。逆にリーディング（イ）側端部に荷重が与えられたときには前記距離Ｔａが短いため、モーメントが小さい。よって同じ荷重をトレーリング（ロ）側端部に与えたときよりも、リーディング（イ）側ではピッチ方向の角度変化が小さくなる。よってその荷重でロール方向へ角度変化を生じやすくなっているものと考えられる。
以上から図６（ａ）（ｂ）に示すものにおいても、固定部２５から離れる側では、同じ荷重に対するピッチ方向の角度変化は大きく、逆にロール方向の角度変化が小さくなり、実質的に図５に示すものと同じ傾向を示していることが解る。
【００２５】
本発明では、ヘッド本体の浮上姿勢を安定化させるために、以上詳述した実験結果に基づいて、ヘッド本体のフレキシャへの固定位置を適性な位置に設定したものである。
ヘッド本体の浮上姿勢を安定化させるには、特にヘッド本体の全領域にわたって、ロール方向への角度変化が大きくなるようにし、同時にピッチ方向への角度変化がある程度の大きさを持つようにする必要がある。言い換えれば、ヘッド本体の全領域にわたって、フレキシャのロール剛性を低減でき、同時にある程度のピッチ剛性を得られるようにする必要がある。
【００２６】
図５および図７に示すように、ヘッド本体のロール方向への角度変化が最も小さくなるのは、フレキシャの固定部から離れた側（フレキシャの自由端側）である。同時にピッチ方向への角度変化は、固定部から離れた側で最も大きくなっている。
そこで、本発明では、ヘッド本体のトレーリング（ロ）側端部を、ロール剛性が小さくなるフレキシャの固定部方向にずらして、少なくともフレキシャの変形支点Ａよりも、固定部側にヘッド本体のトレーリング（ロ）側端部を位置させ、従来に比べて、前記トレーリング（ロ）側端部のロール方向への角度変化を大きくでき、またピッチ方向への角度変化を比較的小さくできるようにしたものである。
よって、ヘッド本体の全領域にわたって、良好なロール剛性およびピッチ剛性を得ることができ、ヘッド本体の浮上姿勢を安定させることができる。
【００２７】
また、特に本発明では、フレキシャの前記変形支点Ａとピボットの当接位置Ｂとの中間Ｃよりも、より前記フレキシャの固定部側に、ヘッド本体のトレーリング側端部を位置させると、前記トレーリング側端部におけるロール方向への角度変化を、ピッチ方向への角度変化よりも大きくすることができ、すなわちトレーリング側端部において、ピッチ剛性よりも、低いロール剛性を得ることができ、前記ヘッド本体の全領域にわたって、より良好なロール剛性およびピッチ剛性を得ることが可能である。
【００２８】
なお、図６（ａ）に示すように、ピボットの当接位置Ｂと、変形支点Ａとが同じ直線上にあるフレキシャ２４の場合は、ヘッド本体２８のトレーリング（ロ）側端部を、変形支点Ａよりもフレキシャ２４の固定部２５側に位置させると、前記ピボットがヘッド本体２８の上面に当接されなくなるので、図４（ａ）と同様に、ピボットの当接位置Ｂが、前記変形支点Ａよりも固定部２５側に位置するようにフレキシャ２４の形状を改良する必要がある。
【００２９】
【発明の実施の形態】
図１は本発明の第１の実施形態として光磁気ディスク装置に装備される浮上式の磁気ヘッド装置を示す部分分解斜視図である。
この磁気ヘッド装置は、ヘッド本体１と、フレキシャ２と、ロードビーム（支持部材）３とから構成されている。
ヘッド本体１は、スライダ４とコア組立体（図示しない）とバックプレート５とから構成されている。なお前記ヘッド本体１の図示左側が、リーディング（イ）側であり、図示右側がトレーリング（ロ）側である。
【００３０】
前記スライダ４は例えばチタン酸カルシウム（ＴｉＣａＯ３）などの非磁性セラミック材料により形成されており、図１の下側が記録媒体への対向面であり、図示上側がフレキシャ２に固定支持される支持側である。
前記コア組立体は、コイルが巻回されたセンタコアと、１つ以上から成るサイドコアとで構成されている。前記各コアは、マンガン亜鉛（Ｍｎ−Ｚｎ）フェライトなどの磁性材料により直方体形状に形成されている。
各コアは、その下面がスライダ４の下面と同一面とされて、前記スライダ４に保持される。このとき、スライダ４の下面における前記センタコアとサイドコアとの間が磁気ギャップとなっている。
【００３１】
図１に示すバックプレート５はバックコアとして機能しており、前述したコアと同様にマンガン亜鉛フェライトなどの磁性材料で平板状に形成される。
センタコアに巻回されたコイルに記録電流が流れると、センタコア─サイドコア─バックプレート（バックコア）５を経る磁路が形成され、前記センタコアの先部から記録媒体に垂直磁界が与えられる。このとき、記録媒体の下方からはレーザ光のエネルギーが与えられ、磁界変調または光変調により記録媒体に信号が記録される。
フレキシャ２は薄い板ばね材料に形成されている。前記フレキシャ２の図示左側には、後述するロードビーム３との固定部６が形成されており、この固定部６には、位置決め孔７と固定爪８，８，８とが形成されている。
【００３２】
前記固定部６の両側から図示上方向に段差部が形成され、この段差部から一対の腕部９，９が、フレキシャの自由端方向（図示Ｘ方向）に延びている。さらに前記腕部９，９の端部からは図示下方向に段差部が、前記固定部６と同一平面状にまで形成されており、この段差部から変形支点Ａ，Ａを有してヘッド支持部１０が、前記固定部６方向に形成されている。
前記ヘッド支持部１０は舌片形状であり、前記変形支点Ａ，Ａを支点として、ロール方向、およびピッチ方向に弾性変形可能となっている。
前記ヘッド支持部１０の固定部６側の端部には、鉤状の規制片１１が折曲げられて形成されている。また、前記規制片１１から自由端方向（図示Ｘ方向）に離れたヘッド支持部１０の位置には、切欠きによる鉤状の規制片１２が形成されている。
【００３３】
また前記ヘッド支持部１０に示されている点Ｂは、ロードビーム３に形成されたピボット（当接部）の頂点が当接する位置であり、前記ヘッド支持部１０の下面に接着などにより固定されたヘッド本体１は、前記ピボットの頂点を支点として揺動自在に支持可能となる。
ロードビーム３は板ばね材料により形成されており、図１に示すように前記ロードビーム３の先部は段差構造となっている。
ロードビーム３には、図１の右上側から先部付近にかけて両側に折り曲げ部３ａ，３ａが形成されており、この部分が剛性を有する部分となっている。この折り曲げ部３ａ，３ａの終端から基端部には、前記折り曲げ部３ａ，３ａを有しない低剛性の板ばね機能部（図示しない）が設けられている。また前記折り曲げ部３ａ，３ａに挟まれた平坦部３ｂは、ロードビーム３の先部にかけて徐々に幅寸法が小さくなっている。
【００３４】
前記平坦部３ｂの前端部から下方向にしかも記録媒体に対して垂直方向に垂直折曲面１３が延びている。この垂直折曲面１３の底面中央からは前記垂直折曲面１３と一体となって記録媒体に対して垂直方向に板状のピボット（当接部）１４が突き出している。
また前記垂直折曲面１３の端部からは記録媒体に対して平行に、しかも平坦部３ｂから離れる方向に平行折曲面１５が延びている。前記平行折曲面１５の図示左側には、取付面１６が形成されており、この取付面１６には位置決め孔１７が形成されている。
また平行折曲面１５の前端部と、取付面１６の前端部および後端部には、折り曲げ部１８，１８，１８が形成されており、この折り曲げ部１８，１８，１８により、平行折曲面１５および取付面１６の剛性が高くなっている。
【００３５】
フレキシャ２がロードビーム３に固定支持されるには、まずロードビーム３に形成された位置決め孔１７と、フレキシャ２に形成された位置決め孔７とが位置合わせされ、同時に、ロードビーム３の平行折曲面１５が、フレキシャ２のヘッド支持部１０に形成された規制片１１，１２の下に挿入される。この状態にて、フレキシャ２の固定爪８，８，８がロードビーム３の取付面１６上で折曲げられ、折曲げられた前記固定爪８上およびその周辺に樹脂や接着剤が塗布され接着固定される。
なお、ロードビーム３の平行折曲面１５が、フレキシャ２のヘッド支持面１０に形成された規制片１１，１２の下側に挿入されることにより、フレキシャ２の上下の変動量は、前記規制片１１，１２の高さ寸法内に規制される。従って、例えば磁気ヘッド装置に強い衝撃が加わっても、前記フレキシャ２は、規制片１１，１２の高さ寸法以上に変動せず、ヘッド本体１の浮上姿勢は常に安定したものとなる。
【００３６】
この磁気ヘッド装置では、ロードビーム３が記録媒体（図示しない）の半径方向から延びており、前記記録媒体は、図示Ｘ方向に摺動する。前記記録媒体が摺動を始めると、ヘッド本体１と記録媒体との間に空気流が導かれ、前記ヘッド本体１のトレーリング（ロ）側端部が、リーディング（イ）側端部よりも下がった状態で、記録媒体上を浮上する。
前記ヘッド本体１は、例えば記録媒体上の起伏に追従するために、ピボット１４の頂点を支点として、ロール方向およびピッチ方向に揺動する。
そして、前記ヘッド本体１が記録媒体上に浮上した状態で、前述したように、前記ヘッド本体１に設けられたコアから垂直磁界が記録媒体に与えられ、前記記録媒体の下からはレーザ光のエネルギーが与えられ、磁界変調または光変調により記録媒体に信号が記録される。
【００３７】
図２は、図１に示す磁気ヘッド装置のフレキシャ２とこのフレキシャ２に固定支持されるヘッド本体１との平面図である。
本発明では、図に示すように、ヘッド本体１のトレーリング（ロ）側端部が、フレキシャ２の変形支点Ａより固定部６側に位置している。
本発明では、前述したように、２種類の磁気ヘッド装置を用いて、ヘッド本体の複数の位置におけるロール方向およびピッチ方向の角度変化を測定し、その実験結果を図５および図７に示した。図４（ａ）（ｂ）と図６（ａ）（ｂ）に示した２種類の磁気ヘッド装置では、ヘッド本体２３（あるいは２８）のトレーリング（ロ）側端部が、フレキシャ１９（あるいは２４）の変形支点Ａよりも、より自由端側（図示Ｘ方向）に位置している。しかし、トレーリング（ロ）側端部が、変形支点Ａよりも自由端側（図示Ｘ方向）に位置していると、図５および図７に示すように、前記トレーリング（ロ）側端部におけるロール方向への角度変化が小さくなり、前記ヘッド本体の浮上姿勢は安定しない。
【００３８】
そこで、本発明では、図５および図７に示す実験結果に基づいて、図２に示すようにヘッド本体１のトレーリング（ロ）側端部を、変形支点Ａよりも、固定部６側に位置させることで、前記トレーリング（ロ）側端部におけるロール方向への角度変化を、従来よりも大きくでき、また同時にピッチ方向の角度変化を従来よりも小さくすることができる。その結果、前記ヘッド本体の全領域にわたって、良好なロール剛性およびピッチ剛性を得ることができ、前記ヘッド本体の浮上姿勢を安定させることが可能である。
また図５に示すように、ロール方向への角度変化の直線と、ピッチ方向への角度変化の直線は、フレキシャの変形支点Ａとピボットの当接位置Ｂとのほぼ中間Ｃで交叉しており、中間Ｃから固定部側までのロール方向への角度変化は、ピッチ方向への角度変化に比べて大きくなっていることがわかる。
【００３９】
そこで、本発明では、図２に示すように、ヘッド本体１のトレーリング（ロ）側端部を、フレキシャ２の変形支点Ａとピボットの当接位置Ｂとの中間Ｃよりも、固定部６側に位置させることが特に好ましく、これにより、前記トレーリング（ロ）側端部におけるロール方向への角度変化をより大きくでき、同時にピッチ方向への角度変化を、ロール方向への角度変化よりも小さくすることが可能となる。これにより、ヘッド本体１の全領域にわたって、より良好なロール剛性およびピッチ剛性を得ることができる。
また、図６（ａ）に示すように、フレキシャ２４の変形支点Ａが、ピボットの当接位置Ｂと同じ直線上にある場合、ヘッド本体２８のトレーリング（ロ）側端部を変形支点Ａよりも固定部２５側に位置させると、前記ヘッド本体２８にピボットを当接できなくなるという不具合が生じるので、前記フレキシャ２４の形状を変える必要がある。
【００４０】
図３は図６（ａ）に示すフレキシャの変形例の一例である。
図３では、固定部２５から自由端方向（図示Ｘ方向）に腕部２６が延び、この腕部２６の間に変形支点Ａを有してヘッド支持部２７が、固定部２５方向に延びている。これにより、変形支点Ａとピボット当接位置Ｂとが同じ直線上に存在しないようにすることができる。
そして、前述したように、ヘッド本体のトレーリング（ロ）側端部を、変形支点Ａよりも固定部２５側に位置させ、好ましくは、変形支点Ａとピボット当接位置Ｂとの中間Ｃよりも、より固定部２５側に位置させると、ヘッド本体の全領域にわたって、小さいロール剛性、および比較的小さい（やや大きめの）ピッチ剛性を得ることができ、ヘッド本体の浮上姿勢を安定化させることが可能となる。
【００４１】
なお、本発明は光磁気ディスク装置用の磁気ヘッド装置を例示したが、ハードディスク装置用の磁気ヘッド装置、その他のディスク装置においても実施可能である。
【００４２】
【発明の効果】
以上詳述した本発明によれば、固定部から自由端側に一対の腕部が延び、この腕部の間から、前記固定部方向に変形支点を有してヘッド支持部材が形成されているフレキシャの前記ヘッド支持部の下に、ヘッド本体が固定支持される際、前記ヘッド本体の自由端側の端部を、前記変形支点よりも、固定部側に位置させ、好ましくは、支持部材に形成されたピボット（当接部）が当接する位置と、前記変形支点との中間よりも、固定部側に位置させれば、前記ヘッド本体の全領域にわたって良好なロール方向およびピッチ方向の剛性を得ることができ、前記ヘッド本体の浮上姿勢を安定させることができる。
【図面の簡単な説明】
【図１】本発明の光磁気ディスク装置に装備される浮上式の磁気ヘッド装置を示す部分分解斜視図、
【図２】図１に示すフレキシャ、およびこのフレキシャに固定支持されるヘッド本体の平面図、
【図３】本発明の磁気ヘッド装置に最適なフレキシャの一例を示す斜視図、
【図４】（ａ）は実験に使用したフレキシャと、このフレキシャに固定支持されたヘッド本体を示す斜視図、（ｂ）は図４（ａ）の底面図、
【図５】図４に示すヘッド本体のリーディング側端部からトレーリング側端部までのロール方向およびピッチ方向の角度変化を示すグラフ、
【図６】（ａ）は実験に使用したフレキシャと、このフレキシャに固定支持されたヘッド本体を示す斜視図、（ｂ）は図６（ａ）の底面図、
【図７】図６に示すヘッド本体のリーディング側端部からトレーリング側端部までのロール方向およびピッチ方向の角度変化を示すグラフ、
【図８】従来の光磁気ディスク装置に装備される浮上式の磁気ヘッド装置を示す部分分解斜視図、
【符号の説明】
１，２３，２８  ヘッド本体
２  フレキシャ
３  ロードビーム
４，１９，２４  スライダ
６，２０，２５  固定部
９，２６，２１  腕部
１０，２７，２２  ヘッド支持部
１４  ピボット
Ａ  変形支点
Ｂ  （ピボットの）当接位置
Ｃ  （変形支点Ａとピボットの当接位置Ｂとの）中間
【図１】
0003556436.tif 000002
【図２】
0003556436.tif 000003
【図３】
0003556436.tif 000004
【図４】
0003556436.tif 000005
【図５】
0003556436.tif 000006
【図６】
0003556436.tif 000007
【図７】
0003556436.tif 000008
【図８】
0003556436.tif 000009